(57)【要約】【課題】十分な耐摩耗性を有し、また、昼間及び暗所においてそれぞれ視認性が高く、更に、ホース表面と反射材との間の十分な接着力を備えること。【解決手段】扁平に潰した状態の屈曲する部分に位置する耳部と、扁平に潰した状態で扁平である部分に位置し、前記耳部よりたて糸密度が低い腹部とを有し、その外周が１０ｍｍ以上であるホース本体と、前記腹部の外面に、前記長さ方向に沿うとともに、前記腹部と前記耳部との境界から離間して設けられ、前記長さ方向と垂直な方向の寸法が、３ｍｍ以上であり、かつ、前記腹部の外周方向の寸法より小である反射材とを備える。【選択図】図２
2014167332.tif 000002
【特許請求の範囲】
【請求項１】
扁平に潰した状態の屈曲する部分に位置する耳部と、扁平に潰した状態で扁平である部分に位置し、前記耳部よりたて糸密度が低い腹部とを有し、その外周が１０ｍｍ以上であるホース本体と、
前記腹部の外面に、前記長さ方向に沿うとともに、前記腹部と前記耳部との境界から離間して設けられ、前記長さ方向と垂直な方向の寸法が、３ｍｍ以上であり、かつ、前記腹部の外周方向の寸法より小である反射材とを備えることを特徴とする消防用ホース。
【請求項２】
前記ホース本体を着色し、昼間の視認性を向上させたことを特徴とする請求項１に記載の消防用ホース。
【請求項３】
前記耳部で屈曲して扁平に潰した状態で収納された前記ホース本体を固定構造物上で、前記腹部が前記固定構造物に面した状態で展張する際に、前記固定構造物側とは反対側の腹部に前記反射材が設けられていることを特徴とする請求項１に記載の消防用ホース。
【請求項４】
前記耳部で屈曲して扁平に潰した状態で収納された前記ホース本体を固定構造物上で、前記腹部が前記固抵構造物に面した状態で展張する際に、前記固定構造物側及び前記固定構造物とは反対側の前記腹部に前記反射材が設けられていることを特徴とする請求項１に記載の消防用ホース。
【発明の詳細な説明】
【技術分野】
【０００１】
本発明は、昼間及び暗所においてそれぞれ高い視認性を備える消防用ホースに関する。
【背景技術】
【０００２】
一般に、ビル等の建物内の消火活動に用いられる消防用ホースは、扁平に潰して巻き取られた状態や折り畳まれた状態で搬送され、使用時には展張される。
【０００３】
しかし、火災を起こした建物は停電になっている場合や、火災の煙などで視界が悪い状態の中帰還しなければならない場合がある。この対策として、消防士はライトを携帯し、消火活動にあたる。しかし、大抵の建物は初めて入る場合が多く、さらに視界が悪い状態であるため、道に迷い出口までたどり着けず、重大事故につながる場合がある。
【０００４】
このような状況に対処するため、消防用ホースを帰還時の道案内として使用する方法がある。消防用ホースは必ず外のポンプ車等につながっている為、消防用ホースを辿れば出口に到達できる。しかし停電時や火災の煙などで視界が悪い場合は消防用ホースを発見することも困難である。これらの対策として、消防用ホース上に反射材を接着し、暗所においても、消防用ホースを発見しやすくする方法が知られている（例えば、特許文献１及び２参照。）。反射材がライトの光を反射するため、消防士は薄暗い中でも消防用ホースを道案内として帰還することができる。また、帰還経路を示す他の方法として、反射材を矢印状にする方法も同様に知られている（例えば、特許文献３参照。）。
【０００５】
これらの反射材は消火活動の際に、地面等との摩擦により脱落する場合がある。このため、反射材を被覆層で覆い、脱落を防止する方法も知られている（例えば、特許文献４参照。）。
【０００６】
また、消火活動の際は、多くの消防署等の拠点から多くの消防用ホースが火災現場に集められる。このため鎮火後の消防用ホースの回収において、他の拠点の消防用ホースを回収してしまう場合がある。この問題を解決するために、消防用ホース表面の色を拠点毎に異なる色にする方法や、拠点を示す表示を付す方法が知られている。この手段の１つとして、反射材を、消防用ホースの所属先を示す形状にする方法が知られている（例えば、特許文献５参照。）。これらの方法は、所属先の表示をする以外に、昼間のホースの視認性も高めている。例えば、ホース表面を赤色等の目立つ色にすることで、昼間における消防用ホースの視認性を高めることが可能である。
【０００７】
ところで、上述のような消防用ホースは、扁平に潰す際に屈曲する、耳部のたて糸密度を扁平面より高くすることで、耳部の磨耗性能を向上させている。また、耳部と腹部を見た目で区別できるように、境界を示す境界線を設けている。
【先行技術文献】
【特許文献】
【０００８】
【特許文献１】実用新案登録第３０８０５０７号公報
【特許文献２】特開２００１−１９３８７４号公報
【特許文献３】特開２００２−１３９１８２号公報
【特許文献４】特開平１０−２４６４号公報
【特許文献５】特開２００９−１５０５２２号公報
【発明の概要】
【発明が解決しようとする課題】
【０００９】
上述した消防用ホースでは、次のような問題があった。すなわち、消防用ホース表面のより広い面積を反射材が覆うことで、暗所における識別性を高めることができる。しかしながら、消防用ホース表面の反射材が覆う面積を広くすると、耳部と腹部との境界を示す境界線を覆う場合や、ホースの所属先を示す表示が小さくなる、又は、付すことができなくなる場合がある。この場合、ホースの所属先が判別できなくなる虞がある。
【００１０】
また、ホース表面の色により、昼間の視認性を高めている場合、反射材によりホース表面の露出する面積が小さくなり、昼間の視認性が低下する。
【００１１】
一方、消防用ホース表面の反射材が覆う面積を小さくする場合、暗所における消防用ホースの視認性が低下する。また、消防用ホースと反射材との間の接着面が小さくなるために接着力が低下し、消火活動中に反射材が消防用ホースから脱落する問題がある。
【００１２】
そこで本発明は、十分な耐摩耗性を有し、また、昼間及び暗所においてそれぞれ視認性が高く、更に、ホース表面と反射材との接着力が十分である消防用ホースを提供することを目的としている。
【課題を解決するための手段】
【００１３】
前記課題を解決し目的を達成するために、本発明の消防用ホースは次のように構成されている。
【００１４】
扁平に潰した状態の屈曲する部分に位置する耳部と、扁平に潰した状態で扁平である部分に位置し、前記耳部よりたて糸密度が低い腹部とを有し、その外周が１０ｍｍ以上であるホース本体と、前記腹部の外面に、前記長さ方向に沿うとともに、前記腹部と前記耳部との境界から離間して設けられ、前記長さ方向と垂直な方向の寸法が、３ｍｍ以上であり、かつ、前記腹部の外周方向の寸法より小である反射材とを備えることを特徴とする。
【発明の効果】
【００１５】
本発明によれば、昼間及び暗所においてそれぞれ視認性が高く、更に、ホース表面と反射材との間の十分な接着力を備えることが可能となる。
【図面の簡単な説明】
【００１６】
【図１】本発明の一実施の形態に係る消防用ホースを示す側面図。
【図２】同消防用ホースの要部を一部破断して示す斜視図。
【図３】同消防用ホースの扁平に潰された状態を示す平面図。
【発明を実施するための形態】
【００１７】
図１は本発明の一実施の形態に係る消防用ホース１を示す側面図、図２は消防用ホース１の要部を一部破断して示す斜視図、図３は消防用ホース１の扁平に潰された状態を示す平面図である。
【００１８】
消防用ホース１は、筒状のホース本体１０と、ホース本体１０の基端側の開口部と液密に連通して設けられる流入部５０と、ホース本体１０の先端側の開口部と液密に連通して設けられる流出部６０とを備えている。流入部５０は消火剤供給部Ｓと液密に着脱可能であり、流出部６０は放水用ノズルＴと液密に着脱可能である。消火剤供給部Ｓは、消火剤を供給する消火栓Ｓ１と、流入部５０に消火剤を案内する案内ホースＳ２とを有する。なお、消火剤は水等の消火に使用される物質であり、水の他に粉体等も含まれる。
【００１９】
ホース本体１０は、図２に示すように、扁平に潰された状態で扁平面となる腹部１３と、扁平に潰す際に屈曲する耳部１４とを備えている。すなわち、腹部１３及び耳部１４は、それぞれ２つ形成されている。耳部１４のたて糸密度は、腹部１３のたて糸密度より高い。ホース本体１０の外周部には、腹部１３と耳部１４との間の境界を示す破線状の境界線１５が設けられている。ホース本体１０の色は通常は白色であるが、赤色等の昼間に視認性が高い色にすることにより、さらに視認性を高める事が可能になる。
【００２０】
腹部１３は、例えば、ホース本体１０の外周の３２．５％の範囲に形成されている。すなわち、２つの腹部１３は両方で、ホース本体１０の外周の６５％を占めている。一方、耳部１４はホース本体１０の外周の１７．５％の範囲に形成されている。すなわち、２つの耳部１４は両方で、ホース本体１０の外周の３５％の範囲を占めている。
【００２１】
ホース本体１０は、扁平に潰す際には耳部１４で屈曲させる。このため、扁平に潰した状態の上面視では、図３に示すように、ホース本体１０の周方向両端に耳部１３が位置し、ホース本体１０の周方向の中央部には腹部１３が位置する。
【００２２】
腹部１３の外周部には、ホース本体１０の外周方向の寸法Ｐ１を有する反射材１６が、ホース本体１０の長さ方向に沿うとともに、境界線１５から離間して設けられている。反射材１６は、ホース本体１０の外周面に熱せられつつ圧着され、ホース本体１０と一体に形成されている。
【００２３】
反射材１６は、その表面に入射する光を反射する性質を有しているため、暗所における視認性を消防用ホース１に付加する効果がある。反射材１６は、寸法Ｐ１が小さい場合、反射する光も少なくなることから、視認性が十分ではなくなる。また、ホース本体１０との接着力も小さくなることから、消火活動において脱落する可能性がある。
【００２４】
このため、反射材１６は寸法Ｐ１を所定の長さ以上とし、十分な視認性と、ホース本体１０との接着力を得る必要がある。これらの条件を満たすために、寸法Ｐ１は３ｍｍ以上に形成されている。
【００２５】
また、境界線１５は、腹部１３と耳部１４との境界を示すものであるから、反射材１６に覆われず、露出している必要がある。このため、寸法Ｐ１の上限は、腹部１３の外周寸法である。
【００２６】
反射材１６について、寸法Ｐ１の最小値が規定されていることから、ホース本体１０の外周についても最小値が規定される。すなわち、反射材１６は腹部１３の範囲内に形成されている。このため、腹部１３の外周も、３ｍｍが最小値となる。腹部１３はホース本体１０の外周の３２．５％の範囲にあることから、腹部１３の外周が３ｍｍである場合、ホース本体１０の外周は３ｍｍ／０．３２５＝９．２３…ｍｍとなる。
【００２７】
なお、境界線１５が反射材１６の端部と近接する場合、境界線１５を視認することが困難である。このため、ホース本体１０の外周を１０ｍｍ以上とし、境界線１５と反射材１６の間の間隔Ｐ２を設け、境界線１５の視認を容易にしている。間隔Ｐ２は、例えば５ｍｍとすることで、境界線１５の視認が更に容易になる。
【００２８】
上述のように形成された消防用ホース１は、外周部に腹部１３と耳部１４との境界線１５を識別可能に形成し、腹部１３に反射材１６を付している。このため、腹部１３と耳部１４とを判別可能である。
【００２９】
また、反射材１６の寸法Ｐ１を３ｍｍ以上とすることで、消火活動における反射材１６の脱落を防止でき、暗所における十分な視認性も備えている。また、反射材１６の寸法Ｐ１の上限を腹部１３の範囲内に規定することで、ホース本体１０の表面全体を覆わず、ホース本体１０表面の色彩により、昼間の視認性を高めている。
【００３０】
上述したように、本発明に係る消防用ホースによれば、十分な耐摩耗性を有し、また、昼間及び暗所においてそれぞれ視認性が高く、更に、ホース表面と反射材との間の十分な接着力を備えることが可能となる。
【００３１】
なお、本発明は前記実施の形態に限定されるものではない。例えば、上述した例では、反射材がホース本体に沿って連続する場合について説明したが、反射材を間欠的に設ける場合であっても同様に適用できる。また、ホース本体の外周における腹部の範囲は、上述した実施の形態の３２．５％の範囲に限られず、例えば２５％の場合であっても同様に適用できる。また、腹部と耳部の間の境界線の位置が上述した実施の形態と異なる場合であっても同様に適用できるのは勿論である。この他、本発明の要旨を逸脱しない範囲で種々変形実施可能であるのは勿論である。
【符号の説明】
【００３２】
１…消防用ホース、１０…ホース本体、１３…腹部、１４…耳部、１５…境界線、１６…反射材、Ｐ１…反射材幅、Ｓ…消火剤供給部。
【図１】
2014167332.tif 000003
【図２】
2014167332.tif 000004
【図３】
2014167332.tif 000005